(57)【要約】      （修正有）【課題】抜き取りが容易で、運搬用の台車にも成るカラーコーン（登録商標）の収納台を提供する。【解決手段】カラーコーン（登録商標）の収納台は、四角形の枠板の中に対向する枠板の辺に十字型連結板１ａを取付て構成された底盤１の十字型連結板１ａの上にその一辺より短い、下向きコの字型の金物２本を十字に組み合わせたコ字型中十字金物２を取付、その上には差込棒３を対向する形で４本を取付、その各々の先にスプリング３ｂが差し込まれ、それぞれのスプリング３ｂに、上部側で２本が十字に交叉した逆さＵ字差込金物３ａの端の４ヶ所が差込まれている。【選択図】図１
0003233981.tif 000002
【実用新案登録請求の範囲】
【請求項１】
四角形の枠板の中に対向する枠板の辺に十字型連結板（１ａ）を取付て構成された底盤（１）の十字型連結板（１ａ）の上にその一辺より短い、下向きコの字型の金物２本を十字に組み合わせたコ字型中十字金物（２）を取付、その上には差込棒（３）を対向する形で４本を取付、その各々の先にスプリング（３ｂ）が差し込まれ、それぞれのスプリング（３ｂ）に、上部側で２本が十字に交叉した逆さＵ字差込金物（３ａ）の端の４ヶ所が差込まれている事を特徴とするカラーコーン（登録商標）の収納台。
【請求項２】
底盤（１）の四隅の裏にＬ型の台座（４）を取付、そのＬ型の台座（４）の地面に着く側には磁石（５）を取付、底盤（１）の四角形の枠板の一辺には縦コの字型押し手（６）を取付、その縦コの字型押し手（６）の上部の横辺と中程に回転筒（７ａ、７ｂ）を取付、縦コの字型押し手（６）の取付側の四角形の枠板の下側にＬ型の台座（４）よりも低い、車輪（８）を取付、カラーコーン（登録商標）に差込む為の差込リング（１０）の２ヶ所に上側留バンド（１１ａ）を付け、底盤（１）の前後２ヶ所の枠板の中程に下側留バンド（１１ｂ）を取付ている事を特徴とする請求項１に記載のカラーコーン（登録商標）の収納台。
【考案の詳細な説明】
【技術分野】
【０００１】
本考案の、カラーコーン（登録商標）の収納台は、複数のカラーコーン（登録商標）を重ねて収納し、又車輪の取付で、そのまま台車にも成る、カラーコーン（登録商標）の収納台に関するもので有る。
【背景技術】
【０００２】
重ねたカラーコーン（登録商標）、を車の高い荷台から取り下ろす時は、重ねたカラーコーン（登録商標）の上まで一個毎に持ち上げて抜き取りをしていた、この様に体力も使い高い処に背を延ばしての作業が困難で在った、重ねたカラーコーン（登録商標）を運ぶ時は、重くて体力的にも負担が掛かった。
【先行技術文献】
【特許文献】
【０００３】
【特許文献１】実用新案登録第３２３１２４４号公報
【考案の概要】
【考案が解決しようとする課題】
【０００４】
実様新案登録第３２３１２４４号公報の課題（本考案はこの文献の改良である）を記載する。前記の考案は保安用具の台車で有って、二種類の保安用具を積込むので、運搬の時や車の荷台等に積込むのに、重さと、保安用具の台車の幅が有り車の荷台のスペースを取った、本考案のカラーコーン（登録商標）の収納台はカラーコーン（登録商標）単一の収納台と台車と成る本考案である、従来からの複数個のカラーコーン（登録商標）を重ねて収納され、車の荷台等の様に高い場所からの抜き取る時は、カラーコーン（登録商標）を垂直に持ち上げて抜き取っていた、又重ねたカラーコーン（登録商標）を運ぶ時には重くて労力を要した、この様に体に負担が掛り、作業能率も悪るく、安全作業にも支障を来たしていた、この様な事象を解決しようとするのが本考案である。      
【課題を解決するための手段】
【０００５】
上記課題を解決するために、本考案のカラーコーン（登録商標）の収納台は、四角形の枠板の中に対向する枠板の辺に十字型連結板（１ａ）を取付て構成された底盤（１）の十字型連結板（１ａ）の上にその一辺より短い、下向きコの字型の金物２本を十字に組み合わせたコ字型中十字金物（２）を取付、その上には差込棒（３）を対向する形で４本を取付、その各々の先にスプリング（３ｂ）が差し込まれ、それぞれのスプリング（３ｂ）に、上部側で２本が十字に交叉した逆さＵ字差込金物（３ａ）の端の４ヶ所が差込まれている事を特徴とする。
又本考案のカラーコーン（登録商標）の収納台は、底盤（１）の四隅の裏にＬ型の台座（４）を取付、そのＬ型の台座（４）の地面に着く側には磁石（５）を取付、底盤（１）の四角形の枠板の一辺には縦コの字型押し手（６）を取付、その縦コの字型押し手（６）の上部の横辺と中程に回転筒（７ａ、７ｂ）を取付、縦コの字型押し手（６）の取付側の四角形の枠板の下側にＬ型の台座（４）よりも低い、車輪（８）を取付、カラーコーン（登録商標）に差込む為の差込リング（１０）の２ヶ所に上側留バンド（１１ａ）を付け、底盤（１）の前後２ヶ所の枠板の中程に下側留バンド（１１ｂ）を取付ている事を特徴とする。
【考案の効果】
【０００６】
重ねたカラーコーン（登録商標）を逆さＵ字差込金物（３ａ）に覆い被せて収納台に収納されたカラーコーン（登録商標）（９）を高所の車等の荷台から取り易くする為に、手前にカラーコーン（登録商標）（９）の重ねた山をおじぎをする様に、手前に傾斜して抜き取る事に依り体力も軽減され、容易に抜き取る事が出来る、倒した手をカラーコーン（登録商標）（９）の重ねた山から離すと、スプリング（３ｂ）のバネの力でカラーコーン（登録商標）（９）が跳ね返り、元の垂直にカラーコーン（登録商標）が収納される、又重ねたカラーコーン（登録商標）（９）を運ぶ時は、底盤（１）の裏の二ヵ所に取り付けられた車輪（８）が縦コの字型押し手（６）でカラーコーン（登録商標）の収納台を傾斜する事で地面に車輪（８）が着き、台車にも成り容易に運搬する事が出来る。
【図面の簡単な説明】
【０００７】
【図１】本考案のカラーコーン（登録商標）の収納台の構成図である。
【図２】本考案のカラーコーン（登録商標）の収納台のカラーコーン（登録商標）を傾斜している可視図である。
【図３】本考案のカラーコーン（登録商標）の収納台であり（ａ）はカラーコーン（登録商標）の収納台にカラーコーン（登録商標）を重ね積みして留バンドで留た様子で有り、（ｂ）はカラーコーン（登録商標）の収納台の下側部分の断面図ある。
【考案を実施するための形態】
【０００８】
本考案のカラーコーン（登録商標）の収納台は  、重ね積み上げたカラーコーン（登録商標）（９）を台車と成って運搬し、車の荷台等に乗せ高所からの  カラーコーン（登録商標）（９）の抜き取りの時は、カラーコーン（登録商標）の収納台に重ねて積込まれたカラーコーン（登録商標）（９）の山を抜き易くする為に、４本の差込棒（３）とそれに差し込まれたスプリング（３ｂ）とで、逆さＵ字差込金物（３ａ）の端の４ヶ所が接がれたスプリング（３ｂ）のバネの力で前と左右に傾斜するので、手前の取り易い位置に傾斜してカラーコーン（登録商標）（９）を抜き取る事が出来る、また手前に傾斜したカラーコーン（登録商標）（９）の重ねた山を手から離す事で、カラーコーン（登録商標）（９）が跳ね返り、元のカラーコーン（登録商標）（９）の収納の様に垂直に納まる、又カラーコーン（登録商標）の収納台を車の荷台等に乗せる時は、縦コの字型押し手（６）の上部の横辺と中程に取付た回転筒（７ａ、７ｂ）に依り、寝かせて荷台の床を転がして乗せられる。
【実施例】
【０００９】
本考案の構成について図面に従って説明する。四角形の枠板の中に対向する枠板の辺に十字型連結板（１ａ）を取付て構成された底盤（１）で、その十字型連結板（１ａ）の上にその一辺より短い、下向きコの字型の金物２本を十字に組みわせた、コの字型中十字金物（２）を取付てカラーコーン（登録商標）（９）の内径の淵を支える事と、四角形の枠板との間に溝を施し、その溝の中に傾斜したカラーコーン（登録商標）（９）の重ねた山の一辺を落とし込み、傾斜を構築するもので、手前に抜き易い位置に傾斜をする事でカラーコーン（登録商標）（９）の使用時に容易に抜き取りが出来る。
下向きコの字型中十字金物（２）の上には、カラーコーン（登録商標）（９）を覆い被せて収納する為の、差込棒（３）を対向する形で４本をカラーコーン（登録商標）（９）の内径に沿って取付、その各々の先にスプリング（３ｂ）を差し込み、スプリング（３ｂ）が差し込まれた差込棒（３）４本に、上部側で２本が十字に交叉した逆さＵ字差込金物（３ａ）の端の４ヶ所を差込み、スプリング（３ｂ）で下側の差込棒（３）と上側の逆さＵ字差込金物（３ａ）を接続させる事に依り、重ねて収納したカラーコーン（登録商標）（９）がスプリング（３ｂ）のばねの力により、カラーコーン（登録商標）（９）の重ねた山を前と左右に倒して、それを手から離す事で、重ねた山が跳ね返り、元の垂直にカラーコーン（登録商標）の収納台にカラーコーン（登録商標）（９）が収納される。
【００１０】
底盤（１）の四隅の裏にＬ型の台座（４）を取付、カラーコーン（登録商標）の収納台の四本の脚と成り、そのＬ型の台座（４）の地面に着く側には磁石（５）を取付る、その磁石（５）に依り車の荷台に積込まれたカラーコーン（登録商標）の収納台が定着し、車の揺れで移動する事を防ぐ。
【００１１】
底盤（１）の四角形の枠板の一辺には縦コの字型押し手（６）を取付、その縦コの字型押し手（６）の上部の横辺と中程に回転筒（７ａ，７ｂ）を取り付ける、縦コの字型押し手（６）の取付側の四角形の枠板の下側にＬ型の台座（４）よりも高さが低い、車輪（８）を左右２ヶ所に取付けて、縦コの字型押し手（６）でカラーコーン（登録商標）の収納台を傾斜し車輪（８）を地面に着けて台車と成る、又カラーコーン（登録商標）の収納台を寝かせて車の荷台に積込む時は、縦コの字型押し手（６）の上部の横辺と中程に取付けた、回転筒（７ａ，７ｂ）に依りカラーコーン（登録商標）の収納台を荷台の床上を転がせて容易に横積で車の荷台に乗せる事が出来る。カラーコーン（登録商標）の収納台から風圧でカラーコーン（登録商標）が飛ばされる事を防ぐ為に、カラーコーン（登録商標）に差込む為の差込リング（１０）に２ヶ所の上側留バンド（１１ａ）を付け、底盤（１）の前後の２ヶ所に枠板の中程に下側留バンド（１１ｂ）を取付て、山積に収納されたカラーーン（登録商標）に、差込リング（１０）を差込それに取付けられた上側留バンド（１１ａ）と、底盤（１）の前後２ヶ所の枠板の中程に取付けた下側留バンド（１１ｂ）を繋いでカラーーン（登録商標）の前後を留める、又上側留バンド（１１ａ）は山積のカラーーン（登録商標）を手前に引いて、傾斜させる事にも使える。        
尚、本考案のカラーコーンの収納台は、巻電線の収納台にも使用できる。
【符号の説明】
【００１２】
１    底盤  
１ａ  十字型連結板
２    コ字型中十字金物
３    差込棒
３ａ    逆さＵ字差込金物    
３ｂ  スプリング
４    Ｌ型の台座
５    磁石
６    縦コの字型押し手
７ａ、７ｂ  回転筒
８    車輪
９    カラーコーン（登録商標）  
１０    差込リング  
１１ａ  上側留バンド  
１１ｂ  下側留バンド
【図１】
0003233981.tif 000003
【図２】
0003233981.tif 000004
【図３】
0003233981.tif 000005